(57)【要約】【課題】嫌気性流動床式水処理の立ち上げを短期間で行うことができる水処理方法を提供する。【解決手段】嫌気性流動床式水処理の立ち上げにおいて、担体２０と嫌気性微生物を含有する汚泥とを投入された反応槽１０に、脱窒微生物の電子受容体を添加しながら有機物含有水を通水する、水処理方法である。【選択図】図１
2020157177.tif 000002
【特許請求の範囲】
【請求項１】
嫌気性流動床式水処理の立ち上げにおいて、担体と嫌気性微生物を含有する汚泥とを投入された反応槽に、脱窒微生物の電子受容体を添加しながら有機物含有水を通水することを特徴とする水処理方法。
【請求項２】
請求項１に記載の水処理方法であって、
前記脱窒微生物の電子受容体が、硝酸態窒素であることを特徴とする水処理方法。
【請求項３】
請求項１または２に記載の水処理方法であって、
前記脱窒微生物の電子受容体の添加量が、生成するバイオガス中のメタン濃度５５ｖｏｌ％以上となる条件において、前記有機物含有水のＣＯＤｃｒ濃度の重量比で０．００８ｇＮ／ｇＣＯＤｃｒ以上であることを特徴とする水処理方法。
【請求項４】
請求項１〜３のいずれか１項に記載の水処理方法であって、
前記反応槽は、前記担体を撹拌する撹拌装置を有することを特徴とする水処理方法。
【請求項５】
請求項１〜４のいずれか１項に記載の水処理方法であって、
前記担体が、ゲル状担体であることを特徴とする水処理方法。
【請求項６】
請求項１〜５のいずれか１項に記載の水処理方法であって、
さらに処理回復時において、反応槽に、脱窒微生物の電子受容体を添加しながら有機物含有水を通水することを特徴とする水処理方法。
【発明の詳細な説明】
【技術分野】
【０００１】
本発明は、担体を用いて嫌気性流動床式処理を行う水処理方法に関する。
【背景技術】
【０００２】
嫌気性流動床式水処理は、担体に微生物を固着させ、流動により被処理水との接触効率を高めることで、安定かつ高効率な処理が実現できる処理方法である。しかし、担体への微生物の付着に時間を要し、結果として装置の立ち上げに多大な時間を要するという問題がある。また、担体からの微生物の剥離等により処理が低下した場合に処理を回復させるのにも多大な時間を要するという問題もある。
【０００３】
特許文献１には嫌気性微生物培養液を遠心処理することで微生物を担体に付着させ、固定床として用いる方法が提案されているが、培養液を遠心処理させただけでは、嫌気性微生物が担体から剥がれ易く、かつ流動床の場合は担体が大きく流動するため、剥離がより進行し、処理が低下する可能性がある。また、遠心処理する方法では、処理が低下した場合に処理を回復させるのは困難である。
【０００４】
特許文献２，３には担体と嫌気性グラニュールとを共存させて通水を開始し、嫌気性グラニュールの一部を解体、分散化させる方法が提案されているが、嫌気性グラニュールが解体、分散化、流出することで、反応槽に保持される嫌気性微生物量が変化し、適切な負荷の設定が困難となる。負荷設定が適切でない場合、過負荷となり、嫌気性微生物へ阻害を与え、立上げ期間が長期化する可能性がある。
【０００５】
特許文献４には馴致担体と新規担体とを混在させる方法が提案されているが、馴致担体の確保が難しく、かつ更なる立上げ期間の短縮が求められている。
【０００６】
このように、嫌気性流動床式水処理の立ち上げや処理回復時に長期間を有するという問題がある。
【先行技術文献】
【特許文献】
【０００７】
【特許文献１】特開２００３−１９０９８５号公報
【特許文献２】特開２０１２−１１０８２１号公報
【特許文献３】特開２０１４−１００６８０号公報
【特許文献４】特開２０１８−０１５６９１号公報
【発明の概要】
【発明が解決しようとする課題】
【０００８】
本発明の目的は、嫌気性流動床式水処理の立ち上げを短期間で行うことができる水処理方法を提供することにある。
【課題を解決するための手段】
【０００９】
本発明は、嫌気性流動床式水処理の立ち上げにおいて、担体と嫌気性微生物を含有する汚泥とを投入された反応槽に、脱窒微生物の電子受容体を添加しながら有機物含有水を通水する、水処理方法である。
【００１０】
前記水処理方法において、前記脱窒微生物の電子受容体が、硝酸態窒素であることが好ましい。
【００１１】
前記水処理方法において、前記脱窒微生物の電子受容体の添加量が、生成するバイオガス中のメタン濃度５５ｖｏｌ％以上となる条件において、前記有機物含有水のＣＯＤｃｒ濃度の重量比で０．００８ｇＮ／ｇＣＯＤｃｒ以上であることが好ましい。
【００１２】
前記水処理方法において、前記反応槽は、前記担体を撹拌する撹拌装置を有することが好ましい。
【００１３】
前記水処理方法において、前記担体が、ゲル状担体であることが好ましい。
【００１４】
前記水処理方法において、さらに処理回復時において、反応槽に、脱窒微生物の電子受容体を添加しながら有機物含有水を通水することが好ましい。
【発明の効果】
【００１５】
本発明によれば、嫌気性流動床式水処理の立ち上げを短期間で行うことができる。
【図面の簡単な説明】
【００１６】
【図１】本発明の実施形態に係る水処理装置の一例を示す概略構成図である。
【図２】実施例１、比較例１，２，３におけるＣＯＤｃｒ負荷（ｋｇ／ｍ３／ｄａｙ）の経時変化を示すグラフである。
【図３】実施例２におけるＣＯＤｃｒ負荷（ｋｇ／ｍ３／ｄａｙ）の経時変化を示すグラフである。
【発明を実施するための形態】
【００１７】
本発明の実施の形態について以下説明する。本実施形態は本発明を実施する一例であって、本発明は本実施形態に限定されるものではない。
【００１８】
本発明の実施形態に係る水処理装置の一例の概略を図１に示し、その構成について説明する。
【００１９】
図１に示す水処理装置１は、有機物含有水について嫌気性流動床式水処理を行うための反応槽１０を備える。反応槽１０は、撹拌手段としてモータ等の回転駆動手段および撹拌羽根等を有する撹拌装置１２を備えてもよい。
【００２０】
水処理装置１において、反応槽１０の有機物含有水入口には、有機物含有水配管１６が接続され、処理水出口には、処理水配管１８が接続されている。反応槽１０には、撹拌装置１２が設置され、電子受容体を供給する電子受容体供給手段として電子受容体供給配管１４が接続されている。反応槽１０には、担体２０が投入されている。反応槽１０は、担体２０の処理水配管１８への流出を抑制するためのスクリーン２２を備えてもよい。
【００２１】
本実施形態に係る水処理方法および水処理装置１の動作について説明する。
【００２２】
被処理水である、有機物を含有する有機物含有水は、有機物含有水配管１６を通して、反応槽１０へ送液される。この有機物含有水の反応槽１０への通水開始前、通水開始時または通水開始後において、反応槽１０に、担体２０と嫌気性微生物を含有する汚泥とが投入される。反応槽１０内では、撹拌装置１２によって担体２０および有機物含有水が撹拌され、電子受容体供給配管１４を通して脱窒微生物の電子受容体が供給されながら、嫌気条件で生物処理が行われる（生物処理工程）。反応槽１０で生物処理された処理水は、処理水配管１８を通して排出される。このような処理を継続して、予め設定した負荷（例えば、ＣＯＤｃｒ負荷１０kｇ／ｍ３／ｄａｙ）に達した段階で、生物処理の立ち上げを終了し、以降、例えば、生物処理の立ち上げ期間で到達した負荷を維持しながら、有機物含有水の生物処理（本処理）が実行される。
【００２３】
本実施形態に係る水処理方法および水処理装置１では、嫌気性流動床式水処理の立ち上げにおいて、担体２０と嫌気性微生物を含有する汚泥とを投入された反応槽１０に、脱窒微生物の電子受容体を添加しながら有機物含有水を通水する。本発明者らは、この方法により、嫌気性流動床式水処理の立ち上げを短期間で行うことができることを見出した。これは、脱窒微生物の電子受容体を添加することで嫌気性微生物の担体への付着性が向上するためと考えられる。このメカニズムとしては、嫌気性微生物に比べて、脱窒微生物は菌体外ポリマ（ＥＰＳ：Ｅｘｔｒａｃｅｌｌｕｌａｒ  Ｐｏｌｙｍｅｒｉｃ  Ｓｕｂｓｔａｎｃｅｓ）等を多く産出し、担体への付着性がよいことが考えられる。
【００２４】
また、本実施形態に係る水処理方法および水処理装置１では、立ち上げまたは本処理において嫌気性流動床式水処理の処理が低下した場合の処理回復時において、担体２０と嫌気性微生物を含有する汚泥とを投入された反応槽１０に、脱窒微生物の電子受容体を添加しながら有機物含有水を通水する。本発明者らは、この方法により、嫌気性流動床式水処理の処理回復を短期間で行うことができることを見出した。
【００２５】
本明細書において「処理が低下した場合」とは、（１）安定時の有機物除去率と比較して３０%以上有機物除去率が低下した状態、（２）安定時の処理水水質と比較して３０%以上処理水水質が低下した状態、（３）処理水の有機酸濃度が２００ｍｇ／Ｌ以上となった状態、（４）有機物含有水のｐＨが６．５〜７．５の範囲外となった状態の少なくとも１つの状態を指す。また、「処理安定時」とは、（１）有機物除去率が７０％以上の状態、（２）処理水水質が原水濃度の３０％未満の状態、（３）処理水の有機酸濃度が２００ｍｇ／Ｌ未満の状態の少なくとも１つの状態、（４）有機物含有水のｐＨが６．５〜７．５の範囲内の状態を指す。例えば、処理水水質測定装置等により測定された処理水のＴＯＣ、ＣＯＤ、ｐＨ等の水質の測定値に基づき、「処理低下時」および「処理安定時」を判断すればよい。
【００２６】
脱窒微生物の電子受容体としては、硝酸態窒素、亜硝酸態窒素等が挙げられ、硝酸態窒素が好ましい。硝酸態窒素としては、硝酸、硝酸塩（硝酸ナトリウム、硝酸カリウム、硝酸アンモニウム等）等が挙げられ、亜硝酸態窒素としては、亜硝酸塩（亜硝酸ナトリウム等）等が挙げられる。嫌気性の反応槽内では有機酸が生成されることから苛性ソーダ等のアルカリ剤を添加することが好ましいが、脱窒微生物の電子受容体として硝酸を添加した場合には、通常よりも多くのアルカリ剤を添加する場合がある。また、硝酸アンモニウムは硝酸態窒素を脱窒により窒素ガスとして水中から除去することができるが、アンモニア態窒素が処理水に残存することがあるため、放流窒素濃度規制に注意が必要となる場合がある。亜硝酸塩は低ｐＨ条件において微生物に毒性を示す可能性がある。以上のことから、脱窒微生物の電子受容体としては、硝酸ナトリウム、硝酸カリウムを用いることが好ましい。
【００２７】
脱窒微生物の電子受容体を添加した場合、脱窒微生物が有機物含有水中の有機成分を消費しながら窒素ガスを生成するため、生物処理で生成するバイオガス中のメタン濃度が低下することがある。嫌気性処理におけるバイオガス中のメタン濃度は通常６０〜９０ｖｏｌ％であり、バイオガスをガスエンジン等に導入して利用する場合、安定運転等の観点からメタン濃度を５５ｖｏｌ％以上に維持することが好ましい。脱窒微生物の電子受容体１ｇ／Ｌあたり、有機物含有水のＣＯＤｃｒは概ね４．５ｇ／Ｌ消費される。したがって、生成するバイオガス中のメタン濃度が６０ｖｏｌ％と想定される場合、脱窒微生物の電子受容体は０．０２ｇＮ／ｇＣＯＤｃｒ以下とすることが好ましい（０．０２ｇＮ／ｇＣＯＤｃｒ添加した場合、脱窒微生物によるＣＯＤｃｒ消費が０．０９ｇ／Ｌとなり、メタンガス濃度の低下は概ね１割となる）。メタンガス濃度が９０ｖｏｌ％と想定される場合、脱窒微生物の電子受容体は０．０８ｇＮ／ｇＣＯＤｃｒ以下とすることが好ましい。以上のことから、脱窒微生物の電子受容体の添加量は、生成するバイオガス中のメタン濃度５５ｖｏｌ％以上となるように維持した条件において、有機物含有水のＣＯＤｃｒ濃度の重量比で０．００８ｇＮ／ｇＣＯＤｃｒ以上であることが好ましく、０．０１６ｇＮ／ｇＣＯＤｃｒ以上であることがより好ましい。脱窒微生物の電子受容体の添加量が有機物含有水のＣＯＤｃｒ濃度の重量比で０．００８ｇＮ／ｇＣＯＤｃｒ未満の場合、脱窒微生物の存在比が低下し、嫌気性微生物を含む汚泥の担体への付着性が低下する場合がある。
【００２８】
嫌気性微生物を含む汚泥（嫌気性グラニュール、消化汚泥等）には脱窒微生物も一部含まれている場合があるが、脱窒微生物を多く含む硝化脱窒汚泥や一般的な活性汚泥等を、嫌気性微生物を含む汚泥と共に添加してもよい。
【００２９】
［嫌気性流動床式排水処理の反応槽形態］
流動床式の反応槽１０としては、上向流型、撹拌型のいずれでもよいが、撹拌型は有機物含有水と担体２０との接触効率が高いことや、高い油脂濃度や懸濁物質（ＳＳ）濃度を有する有機物含有水でも処理が可能であることから、撹拌型が好ましい。流動床式の反応槽１０は、上向流型、撹拌型に制限されるものではなく、担体が流動する形式のものであればよく、特に制限されるものではない。
【００３０】
撹拌装置１２は、流動床式の反応槽１０内の担体２０を撹拌することが可能な装置構成であればよく、特に制限されるものではない。撹拌装置１２としては、例えば、モータ、撹拌翼、モータと撹拌翼を接続するシャフト等を有する撹拌装置が挙げられる。反応槽１０が、担体２０を撹拌する撹拌装置を有することにより、反応槽１０からの担体２０の取り出し時、および反応槽１０への取り込み時に反応槽１０内にできるだけ偏りなく（できるだけ均一に）担体を取り出し、取り込みできる。
【００３１】
担体２０の流動性を向上させる等の点で、撹拌型の反応槽１０の内部に、ドラフトチューブを設置してもよい。ドラフトチューブは、反応槽１０内に略垂直に設置され、上下が開口した円筒状等の筒状の管である。撹拌装置１２の撹拌翼をドラフトチューブ内に配置することにより、撹拌装置１２による撹拌によってドラフトチューブ内に下向流が形成され、ドラフトチューブの外壁面と反応槽１０の内壁面との間に上向流が形成される。
【００３２】
水処理装置１は、例えば、流動床式の反応槽１０の処理水出口を囲むように設置されるスクリーン２２を備えることが好ましい。このスクリーン２２により、流動床式の反応槽１０からの担体２０の流出を抑制することが可能となる。スクリーン２２としては、例えば、ウエッジワイヤースクリーン、金網、パンチングメタル等が挙げられる。
【００３３】
必要に応じて備えてもよい処理水水質測定装置としては、処理水の水質を測定できるものであればよく、特に制限はないが、例えば、ＴＯＣ（全有機炭素）測定装置、ＣＯＤ（化学的酸素要求量）測定装置、ｐＨ測定装置等が挙げられる。
【００３４】
［担体］
嫌気性微生物を生物膜状に付着させる担体としては、嫌気性生物処理で従来使用される担体であればよく、特に制限されるものではない。担体としては、例えば、プラスチック製担体、スポンジ状担体、ゲル状担体等が挙げられる。特に、ゲル状担体を用いることで、高分子ポリマを産出しないメタン発酵菌が、ゲル状担体の３次元の網目構造の孔に入り込む、またはゲル状担体の形状、荷電等の関係で付着しやすく、生物膜の保持に有効であり、また、撹拌による担体の流動性も高いため、プラスチック製担体、スポンジ状担体と比較して、高負荷処理が可能となる。ゲル状担体としては、特に限定されるものではないが、ポリビニルアルコール、ポリエチレングリコール、ポリウレタン等を含んでなる吸水性高分子ゲル状担体等が挙げられる。
【００３５】
担体２０の形状は、特に限定されるものではないが、０．５ｍｍ〜２０ｍｍ程度の径の球状または立方体状（キューブ状）、長方体、円筒状等のものが好ましい。特に、３〜８ｍｍ程度の径の球状、または円筒状のゲル状担体が好ましい。
【００３６】
反応槽１０内部に流動状態を形成するために、担体２０の比重は、少なくとも１．０より大きく、真比重として、１．１以上、あるいは見かけ比重として１．０１以上のものが好ましい。
【００３７】
反応槽１０への担体２０の投入量は、反応槽１０の容積に対して１０〜５０%の範囲が好ましい。担体２０の投入量が反応槽１０の容積に対して１０%未満であると反応速度が小さくなる場合があり、５０%を超えると担体２０が流動しにくくなり、長期運転において汚泥による閉塞等で被処理水がショートパスして処理水質が悪くなる場合がある。
【００３８】
担体２０の沈降速度は、１００〜２００ｍ／ｈｒであることが好ましい。担体２０の沈降速度が１００ｍ／ｈｒ未満であると、担体２０が浮上し、反応槽１０から流出しやすくなり、２００ｍ／ｈｒを超えると、流動状態が悪くなり、被処理水がショートパスしたり、撹拌のエネルギーが大きくなったりする場合がある。
【００３９】
［嫌気性微生物付着担体］
生物膜とは、嫌気性微生物と、嫌気性微生物が産出する菌体外多糖等の生産物等が集合した膜状構造体であって、少なくとも１０μｍ以上の膜厚、好ましくは２０μｍ以上の膜厚を有するものである。上記膜厚は、担体２０表面上からの厚みであり、１０個〜２０個の担体２０の平均値である。なお、菌体外多糖等の生産物は、アルカリを用いて生物膜から多糖類を抽出し、抽出液中の糖濃度をＡｎｔｈｒｏｎｅ法により測定することが可能である。菌体外多糖等の生産物は粘着性を有し、生物膜の付着性に影響を与えるものであると考えられ、例えば、生物膜中に２０ｐｐｍ以上存在していることが好ましく、５０ｐｐｍ以上存在していることがより好ましい。
【００４０】
［反応槽の運転条件］
本実施形態では、有機物含有水を生物処理するに当たり、有機物含有水のｐＨは６．０〜８．０の範囲が好ましく、６．５〜７．５の範囲がより好ましい。有機物含有水のｐＨ調整は、例えば、ｐＨ調整剤供給配管（図示せず）から、有機物含有水を貯留した原水槽（図示せず）にｐＨ調整剤を供給することにより行われる。有機物含有水のｐＨが上記範囲外であると、生物処理による有機物の分解反応速度が低下する場合がある。
【００４１】
ｐＨ調整剤としては、塩酸等の酸剤、水酸化ナトリウム等のアルカリ剤等が挙げられ、特に制限されるものではない。また、ｐＨ調整剤は、例えば、緩衝作用を持つ重炭酸ナトリウム、燐酸緩衝液等であってもよい。
【００４２】
本実施形態では、有機物含有水を生物処理するに当たり、嫌気性微生物の分解活性を良好に維持する等の点から、例えば、有機物含有水に栄養剤を添加することが好ましい。栄養剤としては、特に制限されるものではないが、例えば、炭素源、窒素源、燐源、その他無機塩類（Ｎｉ，Ｃｏ，Ｆｅ等の塩類）等が挙げられる。
【００４３】
本実施形態では、流動床式の反応槽１０の水温を２０℃以上となるように温度調整することが好ましい。通常、２０℃未満であると、分解反応速度が低下する傾向にある。反応槽１０内の水温の温度調整方法は、特に制限されるものではないが、例えば、反応槽１０にヒータ等の加熱装置等を設置して、ヒータ等の熱により反応槽１０内の水温を調整する方法等が挙げられる。
【００４４】
［有機物含有排水］
本実施形態に係る水処理方法および水処理装置における処理対象である有機物含有水は、例えば、食品製造工場、電子産業工場、パルプ製造工場、化学工場等から排出される有機物（油脂、懸濁物質、ならびに油脂および懸濁物質以外の有機物）を含有する排水である。
【００４５】
撹拌型の処理装置は、高い油脂濃度やＳＳ濃度を有する有機物含有水でも処理が可能であるが、対象とする有機物含有水のノルマルヘキサン抽出物質濃度（油脂濃度）は、例えば、１００ｍｇ／Ｌ以上であり、好ましくは１５０ｍｇ／Ｌ以上である。また、ＳＳ濃度は、例えば、１００ｍｇ／Ｌ以上であり、好ましくは２００ｍｇ／Ｌ以上である。
【実施例】
【００４６】
以下、実施例および比較例を挙げ、本発明をより具体的に詳細に説明するが、本発明は、以下の実施例に限定されるものではない。
【００４７】
＜実施例１＞
容積６００ｍＬのアクリル製反応槽に、球状のポリビニルアルコール製ゲル状担体（細孔径４〜２０μｍ、直径４ｍｍ、比重１．０２５、沈降速度４ｃｍ／ｓｅｃ）を反応槽の容積に対して３０％投入し、嫌気性微生物を含む汚泥を反応槽の容積に対して１０％投入した。反応槽内を撹拌装置で撹拌することで担体および嫌気汚泥を流動させた。処理対象の有機物含有水としては、スクロース、カツオエキスを主成分とした食品工場模擬排水（ＣＯＤｃｒ＝２５００〜３０００ｍｇ／Ｌ）とした。また、脱窒微生物の電子受容体として、硝酸ナトリウムを０．０１６ｇＮ／ｇ−ＣＯＤｃｒとなるように有機物含有水に添加した。実施例１におけるＣＯＤｃｒ負荷（ｋｇ／ｍ３／ｄａｙ）の経時変化を図２に示す。
【００４８】
実施例１では、運転３２日目でＣＯＤｃｒ負荷１０ｋｇ／ｍ３／ｄａｙ以上に到達し、最終的に運転４６日目でＣＯＤｃｒ負荷２５ｋｇ／ｍ３／ｄａｙに到達した。ＣＯＤｃｒ除去率は８０〜９０％であった。
【００４９】
＜比較例１＞
硝酸ナトリウムを添加しなかったこと以外は、実施例１と同じ条件とした。結果を図２に示す。
【００５０】
比較例１では、運転４０日目以降、負荷の上昇が停滞し、最終的に運転８０日目の到達負荷は約６ｋｇ／ｍ３／ｄａｙであった。
【００５１】
＜比較例２＞
嫌気性微生物が担体内部および表層に付着した担体を、新品と付着済み担体の総量に対して２０％、新品の担体を８０％投入し（反応槽容積に対して担体は３０％投入）、嫌気性微生物を含む汚泥は投入しなかった。前記以外の条件は比較例１と同じ条件とした。結果を図２に示す。
【００５２】
比較例２では、ＣＯＤｃｒ負荷１０ｋｇ／ｍ３／ｄａｙ以上に到達するのに６４日を要し、かつ最終的に運転７２日目の到達ＣＯＤｃｒ負荷は１８．６ｋｇ／ｍ３／ｄａｙであった。
【００５３】
＜比較例３＞
脱窒微生物が担体内部および表層に生物膜状となって付着した担体を反応槽の容積に対して３０％投入した。前記以外の条件は実施例１と同じ条件とした。比較例３におけるＣＯＤｃｒ負荷（ｋｇ／ｍ３／ｄａｙ）の経時変化を図２に示す。
【００５４】
比較例３では、ＣＯＤｃｒ負荷１０ｋｇ／ｍ３／ｄａｙ以上に到達するのに６９日を要し、かつ最終的に運転７８日目の到達ＣＯＤｃｒ負荷は１９．２ｋｇ／ｍ３／ｄａｙであった。樹脂製担体の細孔部分が脱窒微生物で覆われていたことにより、嫌気性微生物の担体への付着性が低下した可能性が考えられる。したがって、脱窒微生物が産出する菌体外ポリマ等を活用しながら嫌気性微生物を樹脂製担体へ付着させる条件が最も有効と考えられる。
【００５５】
＜実施例２＞
嫌気性微生物が担体内部および表層に生物膜状となって付着した担体を反応槽の容積に対して３０％投入した。前記以外の条件は実施例１と同じ条件とした。実施例２におけるＣＯＤｃｒ負荷（ｋｇ／ｍ３／ｄａｙ）の経時変化を図３に示す。
【００５６】
実施例２では、運転約６０日でＣＯＤｃｒ負荷５０ｋｇ／ｍ３／ｄａｙ以上に装置を立上げることが可能であった。ＣＯＤｃｒ除去率は７０〜８０％であった。
【００５７】
このように、実施例の方法により、嫌気性流動床式水処理の立ち上げを短期間で行うことができた。
【符号の説明】
【００５８】
１  水処理装置、１０  反応槽、１２  撹拌装置、１４  電子受容体供給配管、１６  有機物含有水配管、１８  処理水配管、２０  担体、２２  スクリーン。
【図１】
2020157177.tif 000003
【図２】
2020157177.tif 000004
【図３】
2020157177.tif 000005